(57)【要約】      （修正有）【課題】多用途に使用可能な機能を有する、スマート発光装置を提供する。【解決手段】プリント基板３と、発光モジュール４と、バッテリ５と、無線充電モジュール６とを、防水筐体１内に設けるように備え、更に、防水カバー２で、防水筐体１を覆って密閉、防水するように設けられるスマート発光装置１００であり、防水筐体１は、光透過が可能で、発光モジュール４の光線が透過、出射されるように設けられ、防水カバー２は光透過材で作られた場合、光線が透過可能であり、軽金属材で作られた場合、発光モジュール４の動作時に生じる熱が、外部に伝導、放熱されるように設けられる。無線充電モジュール６は、充電器との磁界結合により生じられた電力が、バッテリ５に貯蔵されるように設けられ、発光装置１００は、リモートリモコンを組み合わせるように実施され、スマート発光装置１００をリモート制御で、発光モードを変化するように設けられ、発光モジュール４は照明器具として独立して実施可能である。【選択図】図１
0003230237.tif 000002
【実用新案登録請求の範囲】
【請求項１】
防水筐体（１）と、防水カバー（２）と、プリント基板（３）と、少なくともの一つの発光モジュール（４）と、バッテリ（５）と、無線充電モジュール（６）とを備えてなる発光装置（１００）であり、
前記防水筐体（１）は、筐体板（１１）と、筐体板（１１）周囲を囲むための囲い枠（１２）とを備えてなり、前記囲い枠（１２）の内部は、収納スペース（１３）に設けられ、前記収納スペース（１３）の片側は開口（１４）で、他方側は囲い枠（１２）と一体に結合された筐体板（１１）に設けられ、前記囲い枠（１２）は、光透過が可能で、光線が直接に透過、出射されるように設けられ、
前記防水カバー（２）は、前記開口（１４）のところに対応するように設けられ、前記防水筐体（１）の開口（１４）を覆って、前記収納スペース（１３）を密閉するように設けられ、
前記プリント基板（３）は、前記収納スペース（１３）内に設けられ、前記発光モジュール（４）の発光を制御するための処理モジュール（３２）と、電源スイッチ（３３）と、差込可能なコンセント（３４）とを備えてなり、
前記発光モジュール（４）は、前記収納スペース（１３）内に設けられる発光ステッカー（４１）と、前記発光ステッカー（４１）に当接し、前記コンセント（３４）に差し込むためのクイックプラグ（４２）とを備えてなり、前記発光ステッカー（４１）は、前記防水筐体（１）の囲い枠（１２）の内壁沿いに、それを囲むように設けられ、前記発光ステッカー（４１）から発した光線が、前記囲い枠（１２）の外に向かって透過、放出されるが、
前記バッテリ（５）は、前記収納スペース（１３）内に設けられ、前記プリント基板（３）の底側面にあり、前記プリント基板（３）と電気的に接続し、
前記無線充電モジュール（６）は、前記収納スペース（１３）内に設けられ、 前記バッテリ（５）の底側面にあり、前記プリント基板（３）と電気的に接続するように設けられることを特徴とするスマート発光装置。
【請求項２】
前記防水カバー（２）は、カバー板（２１）と、カバー板（２１）の片側面に設けられ、環状に結合されてなる支持リング（２２）とを備えてなり、前記支持リング（２２）は、前記収納スペース（１１）内で、囲い枠（１４）との間に、前記発光ステッカー（４１）を入れるためスロット（２３）が設けられ、前記発光ステッカー（４１）は、囲い枠（１４）と支持リング（２２）との間に設けられることを特徴とする請求項１に記載のスマート発光装置。
【請求項３】
前記防水カバー（２）は、光透過ゴム材で作られ、前記プリント基板（３）には更に、ＬＥＤユニット（３５）が設けられ、前記ＬＥＤユニット（３５）は発光時、光透過可能な防水カバー（２）を通って、外部に光を発するように設けられることを特徴とする請求項１に記載のスマート発光装置。
【請求項４】
前記防水カバー（２）は軽金属材で作られ、前記発光ステッカー（４１）は、前記防水カバー（２）の支持リング（２２）に接触しており、発光ステッカー（４１）の動作時に生じる熱が、前記支持リング（２２）を介して、カバー板（２１）に伝導され、放熱されるように設けられることを特徴とする請求項２に記載のスマート発光装置。
【請求項５】
前記防水カバー（２）のカバー板（２１）は、貫通穴（２４）を備えてなり、前記貫通穴（２４）は、光透過ゴムシート（８）で覆われるように設けられ、カバー板（２１）と光透過ゴムシート（８）との間には、防水パッキン（７２）が敷かれ、前記プリント基板（３）に更にＬＥＤユニット（３５）が設けられ、前記ＬＥＤユニット（３５）は発光時、光透過ゴムシート（８）を透過して、外部に発光するように設けられることを特徴とする請求項４に記載のスマート発光装置。
【請求項６】
前記発光ステッカー（４１）は、シート状フレキシブルプリント基板（４１１）と、前記フレキシブルプリント基板（４１１）の片側面に設けられ、間隔を開けて並べられる複数のＬＥＤユニット（４１２）とを備えてなり、前記ＬＥＤユニット（４１２）の間はそれぞれ、電気的に接続していることを特徴とする請求項１に記載のスマート発光装置。
【請求項７】
前記支持リング（２２）の内壁には突き出された仕切り板（２５）が設けられ、前記仕切り板（２５）は、バッテリ（５）と無線充電モジュール（６）との間に設けられ、前記仕切り板（２５）の上下がそれぞれ、バッテリ（５）と無線充電モジュール（６）に接触し、バッテリ（５）や無線充電モジュール（６）の動作時に生じられる熱が、仕切り板（２５）と支持リング（２２）を介して、カバー板（２１）に伝導、放熱されるように設けられることを特徴とする請求項２に記載のスマート発光装置。
【請求項８】
前記プリント基板（３）の片側には更に、電源スイッチ（３３）が設けられ、前記防水筐体（１）の前述電源スイッチ（３３）に対応したところには、前記電源スイッチ（３３）をオン・オフにするための防水型ソフトボタン（１５）が設けられることを特徴とする請求項１に記載のスマート発光装置。
【請求項９】
リモートリモコン（２００）に対応して実施可能な前記発光装置（１００）では、前記プリント基板（３）は、受信モジュール（３１）を備えてなり、前記受信モジュール（３１）が前記リモートリモコン（２００）からの信号を受けると、前記処理モジュール（３２）から、前記信号により、前記発光モジュール（４）がそれに対応する発光モードを行うことを制御するようにし、リモート制御によって、前記発光装置（１００）の発光モードを変更できるように設けられることを特徴とする請求項１に記載のスマート発光装置。
【請求項１０】
前記受信モジュール（３１）は次のように、ブルートゥースモジュール、赤外線モジュール、ZIGBEEモジュール、WIFIモジュール、WIMAXモジュール、２Ｇモジュール、３Ｇモジュール、４Ｇモジュールの何れかの一つ又はその組み合わせに設けられ、ブルートゥースモジュールで実施するほうがよく、前記リモートリモコン（２００）は次のように、スマートモバイル装置（Ａ）、装着スマート装置（Ｂ）、タプレットパソコン（Ｃ）、自転車用無線リモコン（Ｄ）の何れかの一つに設けられることを特徴とする請求項９に記載のスマート発光装置。
【考案の詳細な説明】
【技術分野】
【０００１】
本考案は、スマート発光装置に関し、特に、単独又はその他の物を組み合わせて実施可能で、防水性を有し、放熱性が改良され、発光源が変更可能、かつ発光モードが無線リモートで制御可能な多用途発光装置に関する。
【背景技術】
【０００２】
現在、ＬＥＤ照明は、多くが住宅、屋外、商業施設又は公共施設の照明に用いられているが、パーソナライズグッズ、例えば発光靴、発光帽子、発光服、発光バッグ、発光ベルトなどに応用可能なものであり、それらはどれも、LED発光装置との組み合わせにより、装飾、警告、美化、宣伝などの効果を果たすように設けられる。しかし、ＬＥＤ及び/又は発光装置は、商品に固定されているもので、取り外しや移動が簡単に行われず、単一用途、又は単なる表示するだけで用いられ、その他の商品に変更したり、移動したりするという二重用途や多用途に使えず、即ち、多様化に使用可能な機能を持たないのである。
【０００３】
一般的な発光装置は、ＬＥＤ使用個数が一個か複数かを問わず、主要筐体のある部位に集中するように設けられ、光を発するとき、一箇所に限って行われ、環状的又は全面的に光を発さないため、発光が制限されており、環状的又は全面的に光を発する場合、各ＬＥＤと発光装置との間をライトバーでつなぎ、例えば、発光靴の場合、靴のかかと部位に発光装置の電気回路を、各ＬＥＤを靴底の周囲に設け、各ＬＥＤと電気回路との間をライトバーでつなぐように設けられるが、そこで、製造コストは安いが、ライトバーは曲げに弱く、壊れやすく、前記電気回路やＬＥＤは靴底に固定され、取外不可なもので、短絡などがあると、発光できなくなり、交換もできないことになり、前記発光靴が一回きり使用可能な靴になってしまうこと、発光モードの変化は制限されており、多様化な変化ができず、無線リモート制御ができないため、単調で貧弱な光り方になること、発光装置本体にはＬＥＤがなく、単独して光を発せず、防水できないもので、独立した形で、単独使用可能な小型照明ライトとして使用できないこととなっている。
【０００４】
パーソナライズグッズに用いられる発光装置では、ＬＥＤが発光装置の筐体に設けられたとき、そこで生じる熱が、筐体内に閉じ込められ、有効に排出できず、特に、ＬＥＤユニットの数量が多いほど、熱の発生量が多くなり、過熱による短絡が起きやすくなること、それに、パーソナライズグッズの発光装置は、電力が切れたとき、ＵＳＢケーブルを使って充電するように設けられるが、前記グッズにＵＳＢ端子を設置する必要があり、ＵＳＢ端子の設置により、グッズの見た目に影響を及ぼすが、その設置を隠すように設けられた場合、ユーザの装着や使用に影響を与えることである。
【考案の概要】
【考案が解決しようとする課題】
【０００５】
それに鑑みて、本考案は、上述した問題点を解決し、パーソナライズグッズの発光装置を多用途に使用、光源を多様化に変更し、過熱による短絡発生を防ぎ、無線充電が可能になり、発光モードを無線リモートで制御するように設けられるスマート発光装置を提供することを目的とする。
【課題を解決するための手段】
【０００６】
上記目的を達成するために、本考案は、防水筐体１と、防水カバー２と、プリント基板３と、少なくともの一つの発光モジュール４と、バッテリ５と、無線充電モジュール６とを備えてなる発光装置１００であり、前記防水筐体１は、筐体板１１と、筐体板１１周囲を囲むための囲い枠１２とを備えてなり、前記囲い枠１２の内部は、収納スペース１３に設けられ、前記収納スペース１３の片側は開口１４で、他方側は囲い枠１２と一体に結合された筐体板１１に設けられ、前記囲い枠１２は、光透過が可能で、光線が直接に透過、出射されるように設けられ、前記防水カバー２は、前記開口１４のところに対応するように設けられ、前記防水筐体１の開口１４を覆って、前記収納スペース１３を密閉するように設けられ、前記プリント基板３は、前記収納スペース１３内に設けられ、前記発光モジュール４の発光を制御するための処理モジュール３２と、電源スイッチ３３と、差込可能なコンセント３４とを備えてなり、前記発光モジュール４は、前記収納スペース１３内に設けられる発光ステッカー４１と、前記発光ステッカー４１に当接し、前記コンセント３４に差し込むためのクイックプラグ４２とを備えてなり、前記発光ステッカー４１は、前記防水筐体１の囲い枠１２の内壁沿いに、それを囲むように設けられ、前記発光ステッカー４１から発した光線が、前記囲い枠１２の外に向かって透過、放出されるが、前記バッテリ５は、前記収納スペース１３内に設けられ、前記プリント基板３の底側面にあり、前記プリント基板３と電気的に接続し、前記無線充電モジュール６は、前記収納スペース１３内に設けられ、 前記バッテリ５の底側面にあり、前記プリント基板３と電気的に接続するように設けられる。
【０００７】
前記防水カバー２は、カバー板２１と、カバー板２１の片側面に設けられ、環状に結合されてなる支持リング２２とを備えてなり、前記支持リング２２は、前記収納スペース１１内で、囲い枠１４との間に、前記発光ステッカー４１を入れるためスロット２３が設けられ、前記発光ステッカー４１は、囲い枠１４と支持リング２２との間に設けられることが好ましい。
【０００８】
前記防水カバー２は、光透過ゴム材で作られ、前記プリント基板３には更に、ＬＥＤユニット３５が設けられ、前記ＬＥＤユニット３５は発光時、光透過可能な防水カバー２を通って、外部に光を発するように設けられることが好ましい。
【０００９】
前記防水カバー２は軽金属材で作られ、前記発光ステッカー４１は、前記防水カバー２の支持リング２２に接触しており、発光ステッカー４１の動作時に生じる熱が、前記支持リング２２を介して、カバー板２１に伝導され、放熱されるように設けられることが好ましい。
【００１０】
前記防水カバー２のカバー板２１は、貫通穴２４を備えてなり、前記貫通穴２４は、光透過ゴムシート８で覆われるように設けられ、カバー板２１と光透過ゴムシート８との間には、防水パッキン７２が敷かれ、前記プリント基板３に更にＬＥＤユニット３５が設けられ、前記ＬＥＤユニット３５は発光時、光透過ゴムシート８を透過して、外部に発光するように設けられることが好ましい。
【００１１】
前記発光ステッカー４１は、シート状フレキシブルプリント基板４１１と、前記フレキシブルプリント基板４１１の片側面に設けられ、間隔を開けて並べられる複数のＬＥＤユニット４１２とを備えてなり、前記ＬＥＤユニット４１２の間はそれぞれ、電気的に接続していることが好ましい。
【００１２】
前記支持リング２２の内壁には突き出された仕切り板２５が設けられ、前記仕切り板２５は、バッテリ５と無線充電モジュール６との間に設けられ、前記仕切り板２５の上下がそれぞれ、バッテリ５と無線充電モジュール６に接触し、バッテリ５や無線充電モジュール６の動作時に生じられる熱が、仕切り板２５と支持リング２２を介して、カバー板２１に伝導、放熱されるように設けられることが好ましい。
【００１３】
前記プリント基板３の片側には更に、電源スイッチ３３が設けられ、前記防水筐体１の前述電源スイッチ３３に対応したところには、前記電源スイッチ３３をオン・オフにするための防水型ソフトボタン１５が設けられることが好ましい。
【００１４】
リモートリモコン２００に対応して実施可能な前記発光装置１００では、前記プリント基板３は、受信モジュール３１を備えてなり、前記受信モジュール３１が前記リモートリモコン２００からの信号を受けると、前記処理モジュール３２から、前記信号により、前記発光モジュール４がそれに対応する発光モードを行うことを制御するようにし、リモート制御によって、前記発光装置１００の発光モードを変更できるように設けられることが好ましい。
【００１５】
前記受信モジュール３１は次のように、ブルートゥースモジュール、赤外線モジュール、ZIGBEEモジュール、WIFIモジュール、WIMAXモジュール、２Ｇモジュール、３Ｇモジュール、４Ｇモジュールの何れかの一つ又はその組み合わせに設けられ、ブルートゥースモジュールで実施するほうがよく、前記リモートリモコン２００は次のように、スマートモバイル装置Ａ、装着スマート装置Ｂ、タプレットパソコンＣ、自転車用無線リモコンＤの何れかの一つに設けられることが好ましい。
【考案の効果】
【００１６】
本考案は従来の技術に対して、次のような作用や効果がある。
（１）本考案の多用途スマート発光装置１００では、前記発光ステッカー４１は、防水筐体１の収納スペース１３内の囲い枠１２沿いに、それを囲み、囲い枠１２と支持リング２２との間に設けられ、前記発光ステッカー４１のＬＥＤユニット４１２は、囲い枠１２に向かって設けられ、光を発するとき、光線が囲い枠４１２を透過し、外部に出射して、防水筐体１の外輪から光が生じるように設けられ、前記支持リング２２は、ＬＥＤユニット４１２から生じる熱を遮断し、その熱を収納スペース１３内に入らせないように設けられ、複数のＬＥＤユニット４１２は、シート状フレキシブルプリント基板４１１に設けられ、フレキシブルプリント基板４１１が、クイックプラグ４２を介し、プリント基板３のコンセント３４と電気的に接続していることから、従来のようにライトバーでプリント基板３と電気的に接続することなく、複雑な製造工程や、故障率が高いことを避けられる。
（２）本考案では、防水カバー２は、カバー板２１と支持リング２２とを備えてなり、軽金属で一体に結合されてなると、発光ステッカー４１を支持リング２２に接触させ、発光ステッカー４１の動作時に生じる熱が、支持リング２２へと、更に、カバー板２１に伝導され、最後に、カバー板２１から放熱されるように設けられ、発光装置１００の内部温度を下げ、過熱による故障の発生を避けることができる。
（３）本考案は、リモートリモコン２００を用い、プリント基板３をリモート制御により、発光モジュール４の発光モードを制御するように設けられ、受信モジュール３１を備えてなるプリント基板３は、リモートリモコン２００からの信号を受けると、処理モジュール３２から、信号により、前記発光モジュール４がそれに対応する発光の変化を行うように制御し、例えば、点灯形式、明るさ、頻度、色、鮮やかさなどで、光を多様化に発するように設けられ、本考案は、無線充電モジュール６を用いて充電するように設けられ、充電器と前記無線充電モジュール６間の磁界結合を用いたエネルギーを伝送し、両者間には、ケーブルを接続することなく、充電するように設けられ、従来のケーブル充電や、バッテリ交換による充電に比べて、実施しやすく簡単になり、発光装置１０には導電用端子がなく、見た目が影響されない。
（４）本考案の多用途スマート発光装置１００では、単独使用の照明器具として、一般的な小夜燈又は小型照明ライトのように、照明器具やサーチライトとして用いられるが、発光装置１００をパーソナライズグッズと組み合わせて実施する場合、例えば、靴底内に設け、靴底を光らせて前記靴を発光靴にし、カバンのポケット内に入れ、カバンをぴかぴかと点灯させて夜間警告カバンにし、服のポケットに設け、前記服を光らせて夜間警告服にし、帽子の後ろにかけて前記帽子を夜間警告帽子に設けることができることから、多様化に応用され、随時移動可能、かつ商品の中に装着又は取り外しが簡単に行われる小型防水発光物に設けられる。
【図面の簡単な説明】
【００１７】
【図１】本考案の発光装置の立体模式図を示す。
【図２】本考案の発光装置の立体模式図を示す。
【図３】図１の発光装置の縦断面模式図を示す。
【図４】本考案の発光装置のもう一つの立体模式図を示す。
【図５】図４の発光装置の立体模式図を示す。
【図６】図４の発光装置の縦断面模式図を示す。
【図７】本考案を靴と、リモートリモコンと組み合わせてなる場合を示す模式図である。
【図８】本考案を靴と、自転車用インスツルメントパネルと、ブレーキレバーと組みあせてなる場合を示す模式図である。
【図９】本考案を、カバンと、リモートリモコンとを組み合わせてなる場合を示す模式図である。
【図１０】本考案の発光装置の取外し又は組合せを示す模式図である。
【考案を実施するための形態】
【００１８】
図面に示す実施例について、次のように詳しく説明する。
図１〜３に示す多用途スマート発光装置１００は、防水筐体１と、防水カバー２と、プリント基板３と、少なくともの一つの発光モジュール４と、バッテリ５と、無線充電モジュール６とを備えてなるものである。
【００１９】
前記防水筐体１は、筐体板１１と、筐体板１１周囲を囲むための囲い枠１２とを備えてなり、前記囲い枠１２の内部は、収納スペース１３に設けられ、前記収納スペース１３の片側は、オープンされた開口１４で、開口１４に対応した他方側は、囲い枠１２と密閉に結合された筐体板１１に設けられ、前記囲い枠１２は光透過が可能で、光線が直接に透過、出射されるように設けられ、筐体板１１と囲い枠１２とは、同じ材料を用いた一体化されてなり、簡単に製造できるように設けられ、前記材料は、光線透過率が高く、光透過性がよいプラスチックでよく、モールド成形されてなり、前記防水カバー２は、防水筐体１に対応するように設けられ、開口１４を覆って、収納スペース１３の片側を密閉するように設けられ、防水カバー２と囲い枠１２との間には、水漏れがないように、防水ゴム輪７１を入れるように設けられ、前記防水カバー２と防水筐体１との間は、ボルト２６で締め付け、結合され、前記プリント基板３は、前記収納スペース１３内に設けられ、前記発光モジュール４の発光を制御するための処理モジュール３２と、電源をオン・オフするための電源スイッチ３３と、差込み可能なコンセント３４とを備えてなり、前記発光モジュール４は、前記収納スペース１３内に設けられる発光ステッカー４１と、前記発光ステッカー４１に当接し、前記コンセント３４に差し込むためのクイックプラグ４２とを備えてなり、前記発光ステッカー４１は、前記防水筐体１の囲い枠１２の内壁沿いに、それを囲むように設けられ、前記発光ステッカー４１から発した光線が、前記囲い枠１２に向かって透過、放出され、言い換えれば、光線は、防水筐体１内部から外に出射されるように設けられ、前記バッテリ５は、前記収納スペース１３内に設けられ、前記プリント基板３の底側面にあり、前記プリント基板３と電気的に接続して、プリント基板３や発光モジュール４の稼動に給電するように設けられ、前記無線充電モジュール６は、前記収納スペース１３内に設けられ、前記バッテリ５の底側面にあり、前記プリント基板３と電気的に接続し、充電器との磁界結合により、電力を発生して、バッテリ５に伝送、貯蔵し、発光装置１００は、ケーブル接続又はバッテリ交換を行うことなく、充電するように設けられる。
【００２０】
前記発光装置１００は、独立した小型照明器具であり、単独使用、例えば、発光キーホルダー、小型電気スタンド、小型ハンギングライトとして用いられるが、本考案では、発光装置１００の発光モードを随時変化するように、発光装置１００をリモートリモコン２００と組み合わせるように実施され、プリント基板３には受信モジュール３１が設けられ、前記受信モジュール３１が、前記リモートリモコン２００からの信号を受けると、前記処理モジュール３２から、前記信号により、前記発光モジュール４がそれに対応する発光の変化を行うよう制御し、例えば、発光の色、明るさ、鮮やかさ、点滅の頻度、点灯形式を変えるようにして、前記発光装置１００は、発光をリモート制御可能な発光装置に設けられる。
【００２１】
前記防水カバー２は、カバー板２１と、カバー板２１の片側面に設けられ、環形に結合される支持リング２２とを備えてなり、前記支持リング２２は、前記収納スペース１３内で、囲い枠１２との内外を平行にし、両者の間に前記発光ステッカー４１を入れるためのスロット２３が設けられ、前記発光ステッカー４１は、囲い枠１２と支持リング２２との間に設けられ、発光ステッカー４１の正面が囲い枠１２に、背面が支持リング２２に向かうように設けられる。
【００２２】
前記防水カバー２は、光透過又は非光透過ゴムであり、特に光透過体でよいが、プリント基板３には更にＬＥＤユニット３５が設けられた場合、ＬＥＤユニット３５が上に向かって光を発すると、光線が光透過可能な防水カバー２を透過して、外部に拡散するようになり、そうすると、発光装置１００の頂面からは光を発して、照明効果を有するように設けられる。
【００２３】
防水カバー２は軽金属材、例えば、アルミニウム又はアルミ合金材で作られ、発光ステッカー４１の背面が前記支持リング２２に接触するように設けられ、発光ステッカー４１の動作時に生じる熱が、前記支持リング２２を介して、カバー板２１に伝導され、放熱されるように設けられる。但し、防水カバー２は軽金属材で作られた場合、プリント基板３にＬＥＤユニット３５を設ける必要がない。
【００２４】
図５に示すように、軽金属材で作られた防水カバー２にあっては、前記カバー板２１は、貫通穴２４を備えてなり、前記貫通穴２４は、光透過ゴムシート8で覆われるように設けられ、前記カバー板２１と光透過ゴムシート８との間には、軟質防水パッキン７２が敷かれ、光透過ゴムシート８と、防水カバー２と、防水筐体１とは、ボルト２６で、締め付け結合され、プリント基板３には更に、ＬＥＤユニット３５が設けられ、前記軽金属材で作られた防水カバー２は、熱伝導性と放熱性を有してなり、前記光透過ゴムシート８は断熱板のように、ユーザを、カバー板２１に触れさせないように設けられ、プリント基板３にあるＬＥＤユニット３５が上に向かって光を発しているとき、光線が貫通穴２４を、そして、前記光透過ゴムシート８を通って、外部に光を発するように設けられ、前記光透過ゴムシート８のシート面には透かし文字や図が設けられるが、その文字や図は光に透過されて、立体的な模様や色などを見せることで、見た目がよく、ロゴが目立たつという識別力が效果的になる。
【００２５】
図２、図５に示すように、前記発光ステッカー４１は、シート状フレキシブルプリント基板４１１と、前記フレキシブルプリント基板４１１の片側面に設けられ、間隔を開けて並べられる複数のＬＥＤユニット４１２とを備えてなり、前記ＬＥＤユニット４１２の間は、電気的に接続し、前記ＬＥＤユニット４１２はどれも、防水筐体１の囲い枠１２に向かって設けられている。
【００２６】
前記プリント基板３の片側には更に、電源スイッチ３３が設けられ、前記防水筐体１の前述電源スイッチ３３に対応したところには、前記電源スイッチ３３をオン・オフにするための防水型ソフトボタン１５が設けられ、防水型ソフトボタン１５からは、前記電源スイッチ３３を押して、プリント基板３に給電を行うか行わないかになると同時に、発光装置１００に防水効果を持たせるように設けられる。
【００２７】
図６に示すように、前記支持リング２２の内壁には突き出された仕切り板２５が設けられ、前記仕切り板２５は、バッテリ５と無線充電モジュール６との間に設けられ、前記仕切り板２５の片側面がバッテリ５に、他方側面が無線充電モジュール６に接触し、バッテリ５や無線充電モジュール６の動作時に生じる熱が、仕切り板２５と支持リング２２を介して、カバー板２１に伝導、放熱されるように設けられる。
【００２８】
発光モジュール４の発光モードを変化するには、リモートリモコン２００を用いて行われるが、プリント基板３の受信モジュール３１が前記リモートリモコン２００からの信号を受けると、処理モジュール３２から、前記信号により、前記発光モジュール４がそれに対応した発光に変えることを制御し、 前記受信モジュール３１は次のように、ブルートゥースモジュール、赤外線モジュール、ZIGBEEモジュール、WIFIモジュール、WIMAXモジュール、２Ｇモジュール、３Ｇモジュール、４Ｇモジュールの何れかの一つ又はその組み合わせに設けられ、ブルートゥースモジュールで実施するほうがよい。
【００２９】
前記リモートリモコン２００は次のように、スマートモバイル装置Ａ、装着スマート装置Ｂ、タプレットパソコンＣ、自転車用無線リモコンＤ、及びの他のスマート商品の何れかの一つに設けられる。スマートモバイル装置Ａは例えば、スマートフォン、装着スマート装置Ｂは例えば、スマートウォッチ、スマートリストバンドなどが挙げられるが、制御方法により、異なる実施効果が得られる。
【００３０】
次に、リモート制御による実施例について説明する。図７に示すように、二つの発光装置１００, １００'はそれぞれ、ユーザの左右靴底内に設けられ、リモートリモコン２００は、スマートモバイル装置Ａ、装着スマート装置Ｂ、又はタプレットパソコンＣの何れかの一つで実施され、それによって、発光モジュール４による発光の色、明るさ、鮮やかさ、点滅の頻度、点灯形式などの変化を制御するように設けられる。
【００３１】
図８に示すように、二つの発光装置１００,１００'はそれぞれ、ユーザの左右靴１０底内に設けられ、リモートリモコン２００は、自転車用無線リモコンＤであり、前記自転車用無線リモコンＤは、送信するための車用インスツルメントパネルＥ１と、前記車用インスツルメントパネルＥ１と電気的に接続するブレーキレバーＥ２とを備えてなり、ユーザがブレーキレバーＥ２を引くと、左右靴の発光装置１００,１００'が点滅し、後に来る人や車に、スピードを落とすように警告するのに対して、それを引かないと、光を発さないように設けられ、車用インスツルメントパネルＥ１には、中央、左、右、上、下の制御ボタンが計５個設置、ユーザが中央ボタンに触れると、車用インスツルメントパネルＥ１の電源を開閉し、左ボタンに触れると、左靴にある発光装置１００が点滅し、これから自転車３０が左折することを後に来人や車に表し、右ボタンに触れると、右靴にある発光装置１００'が点滅し、これから自転車３０が右折することを後に来る人や車に表し、上ボタンに触れると、左右靴にある二発光装置１００,１００'が常に点灯している状態で行われ、自転車３０が停車中、又は走行中にあることを後に来る人や車に表し、下ボタンに触れると、左右の二つの発光装置１００,１００'の発光モードを切替え、例えば 、発光の色、点滅の頻度、点灯形式などを変えるように設けられる。
【００３２】
図９に示すように、前記自転車用無線リモコンＤにより、カバン２０内にある左右の二つの発光装置１００,１００'が、それに対応する発光を変化することを制御するように設けられ、ユーザは夜、前記カバン２０を背負って、自転車３０に乗っているとき、車用インスツルメントパネルＥ１, ブレーキレバーＥ２により、左右の二つの発光装置１００,１００'が発光の変化を行うことを制御し、夜間警告、左右折警告、ブレーキ警告、停車中又は走行中の警告機能を果たすように設けられ、発光の色は変化可能で、走行中は赤で、路端帯に停車しているときは黄の光を発するように設けられる。上述した二つの例から分かるように、発光装置１００は、あらゆるパーソナライズグッズと組み合わせて使用可能であると共に、パーソナライズグッズ内に入れて実施可能なものであり、リモートリモコン２００によって、発光装置１００をリモート制御すれば、多元化に使用可能な目的を達成することができるから、応用範囲が広く、実用化されるものである。
【００３３】
本考案の発光装置の１００は、取り外しや組み合わせが間単に行われるため、ユーザが随時、発光ステッカー４１を変えることに対応して用いられる。図１０を例にすれば、二列のＬＥＤユニット４１２の発光ステッカー４１Ａを一列のＬＥＤユニット４１２の発光ステッカー４１Ｂにし、又は、二列のＬＥＤユニットの発光ステッカー４１を、複数列又は多色ＬＥＤユニットの発光ステッカー(未掲示)に変えることはどれも、取り外しや組み合わせの変更が行われるものであり、本考案では、発光ステッカー４１を簡単に変更できる機能を有してなり、発光装置１００は、限りない様々な発光モードの変化が可能で、単調で貧弱な光り方にならない。
【００３４】
以上は、本考案の好適な実施例に関する説明だが、それを以って、実施範囲を制限してはならないものとし、本考案のコンセプトに一致した改造や変化などを行って、それと同等な効果を得て行われた範囲は全て、本考案の特許請求範囲に含まれるものとする。
【符号の説明】
【００３５】
１    防水筐体
１１  筐体板
１２  囲い枠
１３  スペース
１４  開口
１５  防水型ソフトボタン
２    防水カバー
２１  カバー板
２２  支持リング
２３  スロット
２４  貫通穴
２５  仕切り板
２６  ボルト
３    プリント基板
３１  受信モジュール
３２  モジュール
３３  電源スイッチ
３４  コンセント
３５  ＬＥＤユニット
４    発光モジュール
４１  発光ステッカー
４１１  フレキシブルプリント基板
４１２  ＬＥＤユニット
４２  クイックプラグ
４１Ａ  二列のＬＥＤユニットの発光ステッカー
４１Ｂ  一列のＬＥＤユニットの発光ステッカー
５    バッテリ
６    無線充電モジュール
７１  防水ゴム輪
７２  防水パッキン
８    ゴムシート
１０  靴
２０  カバン
３０  自転車
１００  発光装置
１００’発光装置
２００  リモートリモコン
Ａ    スマートモバイル装置
Ｂ    装着スマート装置
Ｃ    タブレットパソコン
Ｄ    自転車用無線リモコン
Ｅ１  車用インスツルメントパネル
Ｅ２  ブレーキレバー
【図１】
0003230237.tif 000003
【図２】
0003230237.tif 000004
【図３】
0003230237.tif 000005
【図４】
0003230237.tif 000006
【図５】
0003230237.tif 000007
【図６】
0003230237.tif 000008
【図７】
0003230237.tif 000009
【図８】
0003230237.tif 000010
【図９】
0003230237.tif 000011
【図１０】
0003230237.tif 000012
【手続補正書】
【提出日】令和2年12月7日(2020.12.7)
【手続補正１】
【補正対象書類名】実用新案登録請求の範囲
【補正対象項目名】全文
【補正方法】変更
【補正の内容】
【実用新案登録請求の範囲】
【請求項１】
防水筐体（１）と、防水カバー（２）と、プリント基板（３）と、少なくともの一つの発光モジュール（４）と、バッテリ（５）と、無線充電モジュール（６）とを備えてなる発光装置（１００）であり、
前記防水筐体（１）は、筐体板（１１）と、筐体板（１１）周囲を囲むための囲い枠（１２）とを備えてなり、前記囲い枠（１２）の内部は、収納スペース（１３）に設けられ、前記収納スペース（１３）の片側は開口（１４）で、他方側は囲い枠（１２）と一体に結合された筐体板（１１）に設けられ、前記囲い枠（１２）は、光透過が可能で、光線が直接に透過、出射されるように設けられ、
前記防水カバー（２）は、前記開口（１４）のところに対応するように設けられ、前記防水筐体（１）の開口（１４）を覆って、前記収納スペース（１３）を密閉するように設けられ、
前記プリント基板（３）は、前記収納スペース（１３）内に設けられ、前記発光モジュール（４）の発光を制御するための処理モジュール（３２）と、電源スイッチ（３３）と、差込可能なコンセント（３４）とを備えてなり、
前記発光モジュール（４）は、前記収納スペース（１３）内に設けられる発光ステッカー（４１）と、前記発光ステッカー（４１）に当接し、前記コンセント（３４）に差し込むためのクイックプラグ（４２）とを備えてなり、前記発光ステッカー（４１）は、前記防水筐体（１）の囲い枠（１２）の内壁沿いに、それを囲むように設けられ、前記発光ステッカー（４１）から発した光線が、前記囲い枠（１２）の外に向かって透過、放出されるが、
前記バッテリ（５）は、前記収納スペース（１３）内に設けられ、前記プリント基板（３）の底側面にあり、前記プリント基板（３）と電気的に接続し、
前記無線充電モジュール（６）は、前記収納スペース（１３）内に設けられ、 前記バッテリ（５）の底側面にあり、前記プリント基板（３）と電気的に接続するように設けられることを特徴とするスマート発光装置。
【請求項２】
前記防水カバー（２）は、カバー板（２１）と、カバー板（２１）の片側面に設けられ、環状に結合されてなる支持リング（２２）とを備えてなり、前記支持リング（２２）は、前記収納スペース（１１）内で、囲い枠（１４）との間に、前記発光ステッカー（４１）を入れるためスロット（２３）が設けられ、前記発光ステッカー（４１）は、囲い枠（１４）と支持リング（２２）との間に設けられることを特徴とする請求項１に記載のスマート発光装置。
【請求項３】
前記防水カバー（２）は、光透過ゴム材で作られ、前記プリント基板（３）には更に、ＬＥＤユニット（３５）が設けられ、前記ＬＥＤユニット（３５）は発光時、光透過可能な防水カバー（２）を通って、外部に光を発するように設けられることを特徴とする請求項１に記載のスマート発光装置。
【請求項４】
前記防水カバー（２）は軽金属材で作られ、前記発光ステッカー（４１）は、前記防水カバー（２）の支持リング（２２）に接触しており、発光ステッカー（４１）の動作時に生じる熱が、前記支持リング（２２）を介して、カバー板（２１）に伝導され、放熱されるように設けられることを特徴とする請求項２に記載のスマート発光装置。
【請求項５】
前記防水カバー（２）のカバー板（２１）は、貫通穴（２４）を備えてなり、前記貫通穴（２４）は、光透過ゴムシート（８）で覆われるように設けられ、カバー板（２１）と光透過ゴムシート（８）との間には、防水パッキン（７２）が敷かれ、前記プリント基板（３）に更にＬＥＤユニット（３５）が設けられ、前記ＬＥＤユニット（３５）は発光時、光透過ゴムシート（８）を透過して、外部に発光するように設けられることを特徴とする請求項４に記載のスマート発光装置。
【請求項６】
前記発光ステッカー（４１）は、シート状フレキシブルプリント基板（４１１）と、前記フレキシブルプリント基板（４１１）の片側面に設けられ、間隔を開けて並べられる複数のＬＥＤユニット（４１２）とを備えてなり、前記ＬＥＤユニット（４１２）の間はそれぞれ、電気的に接続していることを特徴とする請求項１に記載のスマート発光装置。
【請求項７】
前記支持リング（２２）の内壁には突き出された仕切り板（２５）が設けられ、前記仕切り板（２５）は、バッテリ（５）と無線充電モジュール（６）との間に設けられ、前記仕切り板（２５）の上下がそれぞれ、バッテリ（５）と無線充電モジュール（６）に接触し、バッテリ（５）や無線充電モジュール（６）の動作時に生じられる熱が、仕切り板（２５）と支持リング（２２）を介して、カバー板（２１）に伝導、放熱されるように設けられることを特徴とする請求項２に記載のスマート発光装置。
【請求項８】
前記プリント基板（３）の片側には更に、電源スイッチ（３３）が設けられ、前記防水筐体（１）の前述電源スイッチ（３３）に対応したところには、前記電源スイッチ（３３）をオン・オフにするための防水型ソフトボタン（１５）が設けられることを特徴とする請求項１に記載のスマート発光装置。
【請求項９】
リモートリモコン（２００）に対応して実施可能な前記発光装置（１００）では、前記プリント基板（３）は、受信モジュール（３１）を備えてなり、前記受信モジュール（３１）が前記リモートリモコン（２００）からの信号を受けると、前記処理モジュール（３２）から、前記信号により、前記発光モジュール（４）がそれに対応する発光モードを行うことを制御するようにし、リモート制御によって、前記発光装置（１００）の発光モードを変更できるように設けられることを特徴とする請求項１に記載のスマート発光装置。
【請求項１０】
前記受信モジュール（３１）は次のように、ブルートゥース（登録商標）モジュール、赤外線モジュール、ZIGBEE（登録商標）モジュール、WIFIモジュール、WIMAXモジュール、２Ｇモジュール、３Ｇモジュール、４Ｇモジュールの何れかの一つ又はその組み合わせに設けられ、ブルートゥースモジュールで実施するほうがよく、前記リモートリモコン（２００）は次のように、スマートモバイル装置（Ａ）、装着スマート装置（Ｂ）、タプレットパソコン（Ｃ）、自転車用無線リモコン（Ｄ）の何れかの一つに設けられることを特徴とする請求項９に記載のスマート発光装置。
【手続補正２】
【補正対象書類名】明細書
【補正対象項目名】００１５
【補正方法】変更
【補正の内容】
【００１５】
前記受信モジュール３１は次のように、ブルートゥース（登録商標）モジュール、赤外線モジュール、ZIGBEE（登録商標）モジュール、WIFIモジュール、WIMAXモジュール、２Ｇモジュール、３Ｇモジュール、４Ｇモジュールの何れかの一つ又はその組み合わせに設けられ、ブルートゥースモジュールで実施するほうがよく、前記リモートリモコン２００は次のように、スマートモバイル装置Ａ、装着スマート装置Ｂ、タプレットパソコンＣ、自転車用無線リモコンＤの何れかの一つに設けられることが好ましい。